(57)【要約】【課題】パターン変換誤差が生じた場合でも、反射光が入力導波路に戻らないような多モード干渉型光導波路を提供する。【解決手段】入力導波路501,502と、出力導波路504,505と、入力導波路501,502が一方の端部に接続されると共に、出力導波路504,505が一方の端部に対向する他方の端部に接続され、導波路幅が入力導波路501,502及び出力導波路504,505より広い多モード干渉領域503とを有し、入力導波路501,502、出力導波路504,505及び多モード干渉領域503からなる光導波領域の両側に、光導波領域の幅の１〜９倍の幅を有する光閉じ込めするための溝506,507を形成した多モード干渉型光導波路。【選択図】図５
2010079317.tif 000002
【特許請求の範囲】
【請求項１】
入力導波路と、出力導波路と、前記入力導波路が一方の端部に接続されると共に、前記出力導波路が前記一方の端部に対向する他方の端部に接続され、導波路幅が前記入力導波路及び前記出力導波路より広い多モード干渉領域とを有する多モード干渉型光導波路において、
前記入力導波路、前記出力導波路及び前記多モード干渉領域からなる光導波領域の両側に、前記光導波領域の幅の１〜９倍の幅を有する光閉じ込めするための溝を形成したことを特徴とする多モード干渉型光導波路。
【請求項２】
請求項１に記載の多モード干渉型光導波路において、
前記入力導波路及び前記出力導波路の接続部以外の前記多モード干渉領域の端部を、光の伝搬方向に対して傾けた形状にしたことを特徴とする多モード干渉型光導波路。
【発明の詳細な説明】
【技術分野】
【０００１】
本発明は、光集積回路に用いる光導波路に関するものである。
【背景技術】
【０００２】
光集積回路を実現するためには、作製が容易で低損失な光合流・分岐回路を実現する必要がある。近年、作製が容易で低損失な光合流・分岐回路の構造として、多モード干渉(multi-mode interference, ＭＭＩ)型カプラが提案されている(非特許文献１)。
【０００３】
図１に、従来のＭＭＩ型光合流・分岐回路の構造を示す。
図１は、２入力２出力の半導体ＭＭＩ型光合流・分岐回路の上面図であって、図中101、102は入力導波路、103は多モード干渉領域、104、105は出力導波路、106は多モード領域終端である。
【０００４】
動作原理は、簡単に説明すれば以下の通りである。
入力導波路101から多モード干渉領域103に入射した光は、多モード導波路となる多モード干渉領域103の複数の導波モードに展開される。言い換えると、入力導波路101の導波モードと多モード干渉領域103における導波モードの重なりに応じて、多モード干渉領域103の導波モードにパワーが分配される。多モード導波路（多モード干渉領域103）の各導波モードに展開された光は、多モード導波路を干渉しながら、ある一定の距離を伝搬したところで自己結像(Self-imaging)効果によりスポット状に集光される。スポットが２個形成されるような距離だけ伝搬したところに出力導波路104、105を配置すれば、入力信号は２つの出力導波路104、105に分配され、分岐回路として動作する。このように多モード導波路を干渉領域として用いることから、本構成の光合流・分岐回路は多モード干渉(ＭＭＩ)型カプラと呼ばれている。
【０００５】
図２は、従来の４入力１出力の半導体ＭＭＩ型光合流・分岐回路、いわゆる４×１ＭＭＩカプラの上面図であって、図中201〜204は入力導波路、205は多モード干渉領域、206は出力導波路、207は多モード領域終端である。
【０００６】
４×１ＭＭＩカプラの動作原理は、光を逆方向から入射させて１×４カプラとして動作させた場合を考えると理解しやすい。すなわち、出力導波路206から多モード干渉領域205に光が入射すると、入射した光は多モード導波路となる多モード干渉領域205の複数の導波モードに展開される。言い換えると、入力側となる出力導波路206の導波モードと多モード干渉領域205における導波モードの重なりに応じて、多モード干渉領域205の導波モードにパワーが分配される。多モード導波路（多モード干渉領域205）の各導波モードに展開された光は、多モード導波路を干渉しながら、ある一定の距離を伝搬したところで自己結像(Self-imaging)効果によりスポット状に集光される。スポットが４個形成されるような距離だけ伝搬したところに入力導波路201〜204が配置されているため、入力信号は４つの入力導波路201〜204に等分配され、１：４の分岐回路として動作する。逆に、入力導波路201〜204のいずれかから光が入射した場合は、前記４分岐動作の逆過程の動作となり、光線逆行の定理により入射光の１／４のパワーが出力導波路206に結合し、４×１のカプラとして動作する。
【０００７】
図３は、図１に示したＭＭＩ型光合流・分岐回路の導波路のＡ−Ａ’断面での断面構造を、図上左側から観測した図であって、図中301は下部クラッドを構成するInP基板、302及び303はInGaAsPコア層、304及び305はInP上部クラッドを表している。なお、図２に示したＭＭＩ型光合流・分岐回路の導波路のＡ−Ａ’断面での断面構造も、導波路の本数が４本であることを除けば、図３に示したものと同様である。
【０００８】
上記構造のＭＭＩ型光合流・分岐回路は、導波路の横方向の光閉じ込めを、導波路のコア及びクラッドを構成する媒質と空気との屈折率差により行っているため、フォトマスク両側壁を導波路のコアよりも深くエッチングするだけで作製することが可能であり、又、方向性結合器のようなエッチング深さの厳密な制御が必要ないため、光集積回路に最適である。
【先行技術文献】
【非特許文献】
【０００９】
【非特許文献１】L. B. Soldano and E. C. M. Pennings, "Optical Multi-Mode Interference Devices on Self-Imaging: Principles and Applications," Journal of Lightwave Technology, voL. LT-13, pp.615-627, 1995
【発明の概要】
【発明が解決しようとする課題】
【００１０】
ところが、上記構造のＭＭＩ型光合流・分岐回路には、以下のような問題があった。
図４は、図１に示したＭＭＩ型光合流・分岐回路の導波路のＢ−Ｂ’断面での断面構造を、図中下側から観測した図であって、図中401は下部クラッドを構成するInP基板、402はInGaAsPコア層、403はInP上部クラッド、404は多モード領域終端を表している。つまり、従来のＭＭＩ型光合流・分岐回路において、図１における多モード領域終端106は、図４の終端404に示したように、導波路コア層402、403よりも深くエッチングされて、エッチングミラーが形成されている。半導体導波路の場合、この導波路・空気界面における反射率は約３０％であることが知られている。
【００１１】
前記動作原理で説明したように、上記構造のＭＭＩ型光合流・分岐回路は、多モードの干渉による自己結像効果を用いているため、多モード干渉領域103の幅Ｗは厳密に制御する必要がある。多モード干渉型光合流・分岐回路では、多モード干渉領域の幅が１％変化すると、多モード干渉領域103の長さＬは２％変化することが知られている。図１に示した２入力２出力のいわゆる２×２カプラの場合、多モード干渉領域103の幅Ｗが１０〜１２μｍであるのに対し、その長さＬは２００μｍ程度である。従って、作製時に約１％となる０．１μｍの誤差が生じ、幅Ｗが１０．１μｍになってしまったとすると、長さＬは２００μｍの２％相当の４μｍ変化し、２０４μｍが最適値となってしまい、２００μｍでは短すぎることになる。その結果、自己結像効果のフォーカスポイントが多モード干渉導波領域103の外側にシフトしてしまい、多モード領域終端106における出力導波路104、105への光の結合効率が低下する。これは過剰損失の増加を意味している。
【００１２】
これに加えて、結合できなかった光の大部分は、多モード領域終端106に存在し、図４中の404で示されるような導波路の不連続点、言い換えれば、半導体・空気界面において約３０％の反射率で反射されてしまう。反射された光の一部は入力導波路101、102に結合し、入射経路を逆行してしまう。入力導波路に光増幅器が接続されている場合、この反射により発振が生じてしまい、光回路が正常に動作しなくなるおそれがある。
【００１３】
図２に示した４×１カプラについても、多モード領域終端207での反射は、大きな問題となる。特に、４入力１出力の合流回路として使用した際は、前述したように、入力パワーの１／４が出力導波路に結合する。そして、残りの３／４は多モード領域終端207に存在する導波路の不連続点、言い換えれば、半導体・空気界面において反射されてしまう。図２におけるＢ−Ｂ’断面での断面構造は、図４に示したものと同様であるため、多モード領域終端207における反射率は、図１の従来例と同様に約３０％となってしまう。入力パワーの３／４の３０％、すなわち２０％以上のパワーが反射されてしまうため、入力導波路に光増幅器が接続されている場合には発振が生じてしまい、光回路が正常に動作しなくなる可能性が大きい。
【００１４】
ここで導波路の作製時の寸法誤差について簡単に説明しておく。
図１に示したような導波路構造を作製する場合、導波路のエッチングマスク作製に用いるフォトマスクあるいはレチクルの形状は、図１の導波路領域のみにメタルが形成され、導波路領域以外にはメタルは形成されていない。そのため、エッチングマスクを作製するために露光を行った場合、フォトレジストを透過して基板表面に到達したＵＶ光の一部は基板表面で散乱し、四方八方に放射される。この散乱光はフォトマスクのメタルの影の部分のフォトレジストを感光させてしまうため、現像後のフォトレジストの幅はフォトマスクあるいはレチクルで規定される幅より狭くなってしまう。これをパターン変換誤差という。フォトレジスト形成時にパターン変換誤差が存在すると、そのフォトレジストをマスクとして導波路をエッチングしても、できあがった導波路の幅は設計とは異なってしまう。
【００１５】
従来の構造では、メタルの形成されている幅が入出力導波路部で２μｍ程度、多モード干渉導波路領域で１０〜１２μｍ程度であるのに対し、メタルの形成されていない非導波路領域、言い換えれば、導波路間の間隔は数１００μｍ程度にも達する。フォトレジスト露光時に生じるパターン変換誤差は、基板表面で散乱されるＵＶ光の量により決まる。従って、従来の構造では遮蔽部の数１０〜１００倍以上の領域からの散乱光によりパターン変換誤差が生じることになり、大きな誤差の原因となる。これは素子の歩留まりを低下させ、又、設計とのずれによる性能劣化の原因ともなる。光集積回路では導波路が複雑に入り込むため、導波路が密な領域と疎な領域が形成されてしまい、場所によりパターン密度が変化することになる。これは、場所により導波路領域と非導波路領域の面積の比が変化することを意味しており、ＵＶ散乱光の強度が場所により変化することにより、パターン変換誤差も場所により変化することになる。その結果、場所により導波路幅が変化してしまい、設計どおりの集積素子を作製することは困難となってしまうという問題があった。
【００１６】
このように、従来構造のＭＭＩ型光合流・分岐回路は、作製時の寸法誤差が生じた際に問題が生じやすいのみならず、パターン変換誤差が起きやすいという欠点を有していた。又、入力導波路数より出力導波路数が少ない合流回路においては、本質的に多くのパワーが反射されてしまうという問題もあった。
【００１７】
本発明は上記課題に鑑みなされたもので、パターン変換誤差が生じた場合でも反射光が入力導波路に戻らないような多モード干渉型光導波路を提供することを目的とする。
【課題を解決するための手段】
【００１８】
上記課題を解決する第１の発明に係る多モード干渉型光導波路は、
入力導波路と、出力導波路と、前記入力導波路が一方の端部に接続されると共に、前記出力導波路が前記一方の端部に対向する他方の端部に接続され、導波路幅が前記入力導波路及び前記出力導波路より広い多モード干渉領域とを有する多モード干渉型光導波路において、
前記入力導波路、前記出力導波路及び前記多モード干渉領域からなる光導波領域の両側に、前記光導波領域の幅の１〜９倍の幅を有する光閉じ込めするための溝を形成したことを特徴とする。
【００１９】
上記課題を解決する第２の発明に係る多モード干渉型光導波路は、
上記第１の発明に記載の多モード干渉型光導波路において、
前記入力導波路及び前記出力導波路の接続部以外の前記多モード干渉領域の端部を、光の伝搬方向に対して傾けた形状にしたことを特徴とする。
【発明の効果】
【００２０】
第１の発明によれば、入力導波路、出力導波路及び多モード干渉領域からなる光導波領域の両側に、光導波領域の幅の１〜９倍の幅を有する光閉じ込めするための溝を形成したので、導波路領域作製時に散乱光により生じるパターン変換誤差を大幅に抑制することが可能となる。
【００２１】
第２の発明によれば、入力導波路及び出力導波路の接続部以外の多モード干渉領域の端部を、光の伝搬方向に対して傾けた形状にしたので、その傾けた部分での反射光は、多モード干渉領域を斜めに伝搬することになり、入力導波路及び出力導波路への入射の結合効率が減少されて、反射を抑制したことと同等な効果を得ることができる。
【図面の簡単な説明】
【００２２】
【図１】従来の２×２多モード干渉型光合流・分岐回路の上面図である。
【図２】従来の４×１多モード干渉型光合流・分岐回路の上面図である。
【図３】図１におけるＡ−Ａ’断面での断面図である。
【図４】図１におけるＢ−Ｂ’断面での断面図である。
【図５】本発明の第１の実施例を示した図であって、２×２多モード干渉型光合流・分岐回路の上面図である。
【図６】図５における素子端面であるＣ−Ｃ’断面での断面図である。
【図７】本発明の第１の参考例を示した図であって、２×２多モード干渉型光合流・分岐回路の上面図である。
【図８】図８は本発明の第２の参考例を示した図であって、２×２多モード干渉型光合流・分岐回路の上面図である。
【図９】本発明の第２の参考例の変形例を示した図であって、２×２多モード干渉型光合流・分岐回路の上面図である。
【図１０】本発明の第２の参考例の変形例を示した図であって、２×２多モード干渉型光合流・分岐回路の上面図である。
【図１１】本発明の第２の実施例を示した図であって、４×１多モード干渉型光合流・分岐回路の上面図である。
【図１２】本発明の第３の参考例を示した図であって、４×１多モード干渉型光合流・分岐回路の上面図である。
【図１３】本発明の第４の参考例を示した図であって、４×１多モード干渉型光合流・分岐回路の上面図である。
【図１４】本発明の第４の参考例の変形例を示した図であって、４×１多モード干渉型光合流・分岐回路の上面図である。
【図１５】本発明の第３の実施例を示した図であって、多モード干渉領域と入出力導波路との接続部分を示す上面図である。
【図１６】本発明に適用可能な導波路の断面構造を示した図である。
【発明を実施するための形態】
【００２３】
本発明に係る多モード干渉型光導波路は、入力導波路側への反射の影響を除去するべく、終端部における光の反射を抑制するため、出力導波路とは別に多モード導波路を少なくとも２本設け、出力導波路に結像しない光のパワーを、多モード導波路へ逃がすようにしたものである。このような、本発明に係る多モード干渉型光導波路の実施形態のいくつかを、図５〜図１６を用いて、以下に詳細に説明する。
【実施例１】
【００２４】
図５は、本発明に係る多モード干渉型光導波路の第１の実施例を示す図であり、２入力２出力の半導体ＭＭＩ型光合流・分岐回路の上面図である。
図５に示すように、本実施例の半導体ＭＭＩ型光合流・分岐回路は、光信号が入射される入力導波路501、502と、光信号が出射される出力導波路504、505と、一方の端部に入力導波路501、502が接続されると共に他方の端部に出力導波路504、505が接続され、入力導波路501、502及び出力導波路504、505よりも導波路幅の広い多モード干渉領域503とを有する。入力導波路501、502と出力導波路504、505とは、互いに線対称位置に配置されており、又、入力導波路501、502、出力導波路504、505及び多モード干渉領域503からなる光導波領域の両側には、光閉じ込めするため、導波路領域のコア層よりも深く形成された溝506、507が形成されている。ここで、入力導波路501、502及び出力導波路504、505の幅は２μｍ、多モード干渉領域503の幅及び長さは、それぞれ１２μｍ及び２００μｍに設定した。動作原理は、図１に示した従来のものと同様である。
【００２５】
図６は、図５に示したＭＭＩ型光合流・分岐回路の導波路のＣ−Ｃ’断面での断面構造を図中左側から観測した図である。
図６に示すように、本実施例の半導体ＭＭＩ型光合流・分岐回路は、下部クラッドを構成するInP基板601と、その上層に形成されたInGaAsPコア層602〜605と、更に上層に形成されたInP上部クラッド606〜609とを有し、光導波領域の両側壁に沿ってコア層602〜605よりも深くエッチングして形成した溝610〜612を有している。光導波領域の横方向の光閉じ込めは、光導波領域のコア及びクラッドを構成する媒質と空気の屈折率差とにより行われている。
【００２６】
ここで、光導波領域の側壁に形成した溝幅は次のように設定した。
本実施例の光合流・分岐回路は、ドライエッチングにより作製される。これは、図５に示したように、エッチング面が結晶面に対し様々な方向を向くため、面方位に依存するようなウェットエッチングを用いることができないためである。ドライエッチングを用いる場合、エッチング部の開口率(エッチングされる部分あるいはエッチングマスクが存在しない部分と、エッチングされない部分あるいはエッチングマスクの存在する部分との面積の比)により、エッチング速度やエッチング形状が異なることが一般的に知られている。
【００２７】
本実施例のように、導波路のコア層よりも深く溝のエッチングを行う場合、開口部の幅が小さいと、溝の幅により律速される深さ以上には、エッチング時間を延長してもエッチングが進まないといった現象が生じる場合がある。このような現象を防ぐため、溝の幅はエッチング深さと同等以上であることが望ましい。一般的に、導波路構造として、コア層602〜605及び上部クラッド層606〜609の厚さがそれぞれ０．３〜０．５μｍ及び１．５〜２．５μｍであることを考慮すると、エッチング深さＤは３μｍ以上であることが必要である。従って、溝幅も溝深さＤ、３μｍ以上が望ましい。本実施例では、溝幅は１５〜２５μｍ程度の範囲内でほぼ一定になるように考慮し、溝幅Ｗ0、Ｗ1はそれぞれ１８μｍ及び１５μｍに設定した。
【００２８】
本実施例においては、導波路領域作製時にパターン変換誤差の生じにくい構造を提供することも可能である。以下に、その原理を説明する。
本実施例の導波路パターンを作製する際に用いるフォトマスク、あるいはレチクルは、図５の溝506、507領域以外の部分にメタルが形成されているような形状になっている。メタルの形成されている導波路幅が２μｍ及び１２μｍであるのに対し、メタルの形成されていない透明領域の幅Ｗ0及びＷ1は、上述したように１８μｍ及び１５μｍと設定したので、導波路領域の幅と溝幅Ｗ0及びＷ1との比は高々１〜９倍程度である。従って、基板表面に到達するＵＶ光の量も、図１の従来例と比較して大幅に減少し、基板表面で散乱されるＵＶ光の量も、従来の構造と比較すると１／１０程度以下となる。そのため、散乱光により生じるパターン変換誤差を大幅に抑制することが可能となる。これにより、設計とのずれにより生じる反射の発生を最小限に抑えることができる。
【００２９】
又、本実施例の場合、メタルの形成されていない透明領域の幅が、ほぼ一定に保たれるため、光集積回路のように導波路が複雑に入り込んだ場合でも、メタルの形成されている導波路部とメタルの形成されていない透明領域の面積の比が大きく変化することはない。従って、場所によりパターン変換誤差が変化することもない。そして、場所により導波路幅が変化してしまうといった従来例の問題点が解決され、設計どおりのレジストマスクを形成することが可能となり、その結果、前記レジストマスクを用いてエッチングした導波路幅も設計どおりに作製することができ、反射の少ない高性能な集積素子を作製することが可能となる。
【００３０】
このように、導波路近傍のメタルの形成されていない透明領域の幅、もしくは面積をほぼ一定の値に保つことが重要であり、そのため、本実施例では、光導波領域の両側にコア層よりも深い、ほぼ一定の幅の溝を形成する構成としている。
【参考例１】
【００３１】
図７は、本発明に係る多モード干渉型光導波路の第１の参考例を示す図であり、２入力２出力の半導体ＭＭＩ型光合流・分岐回路の上面図である。
図７に示すように、本参考例の半導体ＭＭＩ型光合流・分岐回路は、光信号が入射される入力導波路701、702と、光信号が出射される出力導波路704、705と、一方の端部に入力導波路701、702が接続されると共に他方の端部に出力導波路704、705が接続され、入力導波路701、702及び出力導波路704、705よりも導波路幅の広い多モード干渉領域703と、多モード干渉領域703の他方の端部に接続された多モード導波路706、707とを有する。入力導波路701、702と出力導波路704、705とは、互いに線対称位置に配置されている。ここで、入力導波路701、702及び出力導波路704、705の幅は２μｍ、多モード干渉領域703の幅及び長さは、それぞれ１２μｍ及び２００μｍに設定した。動作原理は、図１に示した従来のものと同様である。又、図７に示したＭＭＩ型光合流・分岐回路の導波路のＡ−Ａ’断面での断面構造は、図３に示したものと同様である。
【００３２】
本参考例は、図１に示した従来例と比較すると、従来例における多モード干渉領域の終端部106に、複数の導波モードの存在が可能なマルチモードの導波構造として、入力導波路701、702及び出力導波路704、705よりも導波路幅の広い多モード導波路706、707を、少なくとも２本設けた構造である。そのため、従来例において、多モード干渉領域の終端部106で反射されていた光が、多モード導波路706及び707に導かれて伝搬することが可能となり、入力導波路を逆行するような反射が発生しない。従って、作製時にパターン変換誤差が生じたとしても、過剰損失が若干増加するだけで、反射のない光合流・分岐回路を提供することが可能となる。ここで、多モード導波路706、707の構造に関しては、特に制約があるわけではない。複数の導波モードの存在を許容していれば、直線状であっても曲線状であってもかまわない。この多モード導波路は出射端面まで連続していてもよく、又、途中で光を吸収するための何らかの構造、例えば、信号光波長よりバンドギャップ波長の長いような組成の半導体を含むような構造に接続してもよい。更に、光を空間に放射するための構造と接続してもかまわない。
【００３３】
なお、本参考例では、多モード干渉領域703の終端部（出力導波路側704、705側）のみに、複数の導波モードの存在が可能な多モード導波路706、707を設けたが、線対称となるように、多モード干渉領域703の入射側の端部にも、複数の導波モードの存在が可能なマルチモードの導波構造を設けてもよく、入射側の端部において、同等の効果を得ることができる。この場合、出力導波路に光増幅器等が接続されていて、自然放出光が出力導波路側から多モード干渉領域703に入射するような場合でも、効果的に反射を抑制することが可能となる。
【参考例２】
【００３４】
図８は、本発明に係る多モード干渉型光導波路の第２の参考例を示す図であり、２入力２出力の半導体ＭＭＩ型光合流・分岐回路の上面図である。
図８に示すように、本参考例の半導体ＭＭＩ型光合流・分岐回路は、光信号が入射される入力導波路801、802と、光信号が出射される出力導波路804、805と、一方の端部に入力導波路801、802が接続されると共に他方の端部に出力導波路804、805が接続され、入力導波路801、802及び出力導波路804、805よりも導波路幅の広い多モード干渉領域803と、多モード干渉領域803の他方の端部に接続された多モード導波路806、807とを有する。入力導波路801、802、出力導波路804、805及び多モード干渉領域803からなる光導波領域の両側には、光閉じ込めするため、側壁に沿って、導波路領域のコア層よりも深く形成された溝808、809が形成されており、更に、溝808、809の外側にスラブ領域810、811が形成されている。ここで、入力導波路801、802及び出力導波路804、805の幅は２μｍ、多モード干渉領域803の幅及び長さは、それぞれ１２μｍ及び２００μｍに設定した。動作原理は、図１に示した従来のものと同様である。又、図８に示したＭＭＩ型光合流・分岐回路の導波路のＣ−Ｃ’断面での断面構造は、図６に示したものと同様である。
【００３５】
本参考例でも、図５に示した実施例1と同様に、導波路の両側壁に沿って、コアよりも深くエッチングした溝808、809を形成しており、導波路の横方向の光閉じ込めは、導波路のコア及びクラッドを構成する媒質と空気との屈折率差により行っている。導波路側壁に形成した溝幅も、図５に示した実施例１と同様に、１５〜２５μｍ程度の範囲内でほぼ一定になるように考慮し、溝幅Ｗ0、Ｗ1は、それぞれ１８μｍ及び１５μｍに設定した。その結果、実施例１と同様の原理により、パターン変換誤差を抑制して、設計とのずれにより生じる反射の発生を、最小限に抑えることが可能となる。
【００３６】
なお、溝幅Ｗ0、Ｗ1を全く同じ大きさにすると、より効果的にパターン変換誤差を抑制して、設計とのずれにより生じる反射の発生をより小さくすることが可能である。この場合、多モード干渉領域803の両側端部に、入力導波路801、802及び出力導波路804、805が配置されると共に、出力導波路804と出力導波路805の間に、多モード導波路が配置される構成となる。
【００３７】
本参考例の場合も、溝領域の幅Ｗ0、Ｗ1がほぼ一定に保たれるため、光集積回路のように導波路が複雑に入り込んだ場合でも、導波路部と溝領域の面積の比が大きく変化することはない。従って、場所によりパターン変換誤差が変化することもない。そして、場所により導波路幅が変化してしまうといった従来例の問題点が解決され、設計どおりのレジストマスクを形成することが可能となり、その結果、前記レジストマスクを用いてエッチングした導波路幅も設計どおりに作製することができ、反射の少ない高性能な集積素子を作製することが可能となった。
【００３８】
更に、本参考例の場合、図７に示した参考例１と同様に、多モード干渉領域803の終端部に、複数の導波モードの存在が可能な多モード導波路806、807を、少なくとも２本設けた構造であるため、従来例において多モード干渉領域の終端部で反射されていた光が、多モード導波路806、807に導かれて伝搬することが可能となり、入力導波路を逆行するような反射が発生しない。そのため、作製時にパターン変換誤差が生じたとしても、過剰損失が若干増加するだけで、反射のない光合流・分岐回路を提供することが可能となる。ここで、多モード導波路806、807の構造に関しては、特に制約があるわけではない。複数の導波モードの存在を許容していれば、直線状であっても曲線状であってもかまわない。この多モード導波路は、出射端面まで連続していてもよく、又、途中で光を吸収するための何らかの構造、例えば、信号光波長よりバンドギャップ波長の長いような組成の半導体を含むような構造に接続してもよい。更に、光を空間に放射するための構造と接続してもかまわない。
【００３９】
本参考例の光回路を用いることにより、図５に示した実施例１及び図７に示した参考例１の両方の特徴を有する結果となり、作製時のパターン変換誤差がなく、反射の生じにくい作製プロセスを可能にするのみならず、パターン変換誤差が生じた場合でも、反射のない高性能な光合流・分岐回路を提供することが可能となる。
【００４０】
なお、本参考例では、多モード導波路を出力導波路に沿って配置したが、図９に示すように、導波路の側壁に沿って形成された溝908、909を横切って、横方向の閉じこめが実質上存在しない、もしくは十分に横幅の広い、スラブ領域910、911に、多モード導波路を接続することによっても同様な効果が得られる。この場合、途中で光を吸収するための構造等に接続されていていなくとも、溝908、909の幅の分だけ光を伝搬させた後、スラブ領域910、911に光を逃がすようにしたので、十分に光の反射を抑制することが可能である。ここで、図９中に示した番号は、図８中に示した番号に準ずる。すなわち、図中901、902は入力導波路、903は多モード干渉領域、904、905は出力導波路、906、907は多モード導波路、908、909は導波路の側壁に沿って形成された溝、910、911はスラブ領域である。
【００４１】
又、図８及び図９では、多モード干渉領域803の右側の終端部のみに、複数の導波モードの存在が可能な多モード導波路806、807又は多モード導波路906、907を設けたが、図１０に示すように、多モード干渉領域1003の入射側端部にも、複数の導波モードの存在が可能な多モード導波路1010、1011を設けて、線対称構造としてもよい。この場合についても、上記構造と同等の効果を得ることができる。この場合、出力導波路に光増幅器等が接続されていて、自然放出光が出力導波路側から多モード干渉領域1003に入射するような場合にも、効果的に反射を抑制することが可能となる。ここで、図１０中に示した番号も、図８中に示した番号に準ずる。すなわち、図中、1001、1002は入力導波路、1003は多モード干渉領域、1004、1005は出力導波路、1006、1007、1010、1011は多モード導波路、1008、1009は導波路の側壁に沿って形成された溝、1012、1013はスラブ領域である。又、図１０に示した多モード導波路1006、1007、1010、1011のうちのいずれかを、図８に示した多モード導波路806、807のように、入力導波路もしくは出力導波路に沿って配置した形状としても、同様の効果が得られる。
【実施例２】
【００４２】
図１１は、本発明に係る多モード干渉型光導波路の第２の実施例を示す図であり、４入力１出力の半導体ＭＭＩ型光合流・分岐回路の上面図である。
図１１に示すように、本実施例の半導体ＭＭＩ型光合流・分岐回路は、光信号が入射される入力導波路1101〜1104と、光信号が出射される出力導波路1106と、一方の端部に入力導波路1101〜1104が接続されると共に他方の端部に出力導波路1106が接続され、入力導波路1101〜1104及び出力導波路1106よりも導波路幅の広い多モード干渉領域1105とを有する。入力導波路1101〜1104、出力導波路1106及び多モード干渉領域1105からなる光導波領域の両側には、光閉じ込めするため、側壁に沿って、導波路領域のコア層よりも深く形成された溝1107、1108が形成されている。ここで、入力導波路1101〜1104及び出力導波路1106の幅は２μｍ、多モード干渉領域1105の幅及び長さはそれぞれ１６μｍ及び１３４μｍに設定した。動作原理は、図２に示した従来のものと同様である。図１１に示したＭＭＩ型光合流・分岐回路の導波路のＣ−Ｃ’断面での断面構造は、導波路本数が４本になっていることを除けば、図６に示したものと同様である。
【００４３】
本実施例では、図５に示した実施例１と同様に、導波路の両側壁に沿って、コアよりも深くエッチングした溝を形成し、導波路の横方向の光閉じ込めは、導波路のコア及びクラッドを構成する媒質と空気との屈折率差により行っている。導波路側壁に形成した溝幅も、図５に示した実施例１と同様に、１５〜２５μｍ程度の範囲内でほぼ一定になるように考慮し、溝幅Ｗ0、Ｗ1及びＷ2は、それぞれ１７μｍ、１５μｍ及び２２μｍに設定した。その結果、実施例１と同様の原理により、パターン変換誤差を最小限に抑えることができ、設計とのずれにより生じる反射の発生を、最小限に抑えることが可能となった。
【００４４】
本実施例の場合も、溝領域の幅がほぼ一定に保たれるため、光集積回路のように導波路が複雑に入り込んだ場合でも、導波路部と溝領域の面積の比が大きく変化することはない。従って、場所によりパターン変換誤差が変化することもない。そして、場所により導波路幅が変化してしまうといった従来例の問題点が解決され、設計どおりのレジストマスクを形成することが可能となり、その結果、前記レジストマスクを用いてエッチングした導波路幅も設計どおりに作製することができ、反射の少ない高性能な集積素子を作製することが可能となった。
【参考例３】
【００４５】
図１２は、本発明に係る多モード干渉型光導波路の第３の参考例を示す図であり、４入力１出力の半導体ＭＭＩ型光合流・分岐回路の上面図である。
図１２に示すように、本参考例の半導体ＭＭＩ型光合流・分岐回路は、光信号が入射される入力導波路1201〜1204と、光信号が出射される出力導波路1206と、一方の端部に入力導波路1201〜1204が接続されると共に他方の端部に出力導波路1206が接続され、入力導波路1201〜1204及び出力導波路1206よりも導波路幅の広い多モード干渉領域1205と、多モード干渉領域1205の他方の端部に接続された多モード導波路1206、1207とを有する。ここで、入力導波路1201〜1204及び出力導波路1206の幅は２μｍ、多モード干渉領域1205の幅及び長さは、それぞれ１６μｍ及び１３４μｍに設定した。動作原理は、図２に示した従来のものと同様である。図１２に示したＭＭＩ型光合流・分岐回路の導波路のＡ−Ａ’断面での断面構造も、導波路本数が４本になっていることを除けば、図３に示したものと同様である。
【００４６】
本参考例では、図２に示した従来例における多モード干渉領域の終端部207に、複数の導波モードの存在が可能な多モード導波路1207、1208を、少なくとも２本設けた構造であるため、従来例において多モード干渉領域の終端部207で反射されていた光が、多モード導波路1207、1208に導かれて伝搬することが可能となり、入力導波路を逆行するような反射が発生しない。そのため、作製時にパターン変換誤差が生じたとしても、過剰損失が若干増加するだけで、反射のない光合流・分岐回路を提供することが可能となる。ここで、多モード導波路1207、1208の構造に関しては特に制約があるわけではない。複数の導波モードの存在を許容していれば、直線状であっても曲線状であってもかまわない。この多モード導波路は出射端面まで連続していてもよく、又、途中で光を吸収するための何らかの構造、例えば、信号光波長よりバンドギャップ波長の長いような組成の半導体を含むような構造に接続してもよい。更に、光を空間に放射するための構造と接続してもかまわない。
【００４７】
なお、本参考例では、多モード干渉領域1205の右側の終端部のみに、複数の導波モードの存在が可能な多モード導波路1207、1208を設けたが、多モード干渉領域1205の入射側端部にも、複数の導波モードの存在が可能な多モード導波路を設けてもよく、この場合でも同等の効果を得ることができる。この場合、出力導波路に光増幅器等が接続されていて、自然放出光が出力導波路側から多モード干渉領域1205に入射するような場合にも、効果的に反射を抑制することが可能となる。
【参考例４】
【００４８】
図１３は、本発明に係る多モード干渉型光導波路の第４の参考例を示す図であり、４入力１出力の半導体ＭＭＩ型光合流・分岐回路の上面図である。
図１３に示すように、本参考例の半導体ＭＭＩ型光合流・分岐回路は、光信号が入射される入力導波路1301〜1304と、光信号が出射される出力導波路1306と、一方の端部に入力導波路1301〜1304が接続されると共に他方の端部に出力導波路1306が接続され、入力導波路1301〜1304及び出力導波路1306よりも導波路幅の広い多モード干渉領域1305と、多モード干渉領域1305の他方の端部に接続された多モード導波路1307、1308とを有する。入力導波路1301〜1304、出力導波路1306及び多モード干渉領域1305からなる光導波領域の両側には、光閉じ込めするため、側壁に沿って、導波路領域のコア層よりも深く形成された溝1309、1310が形成されており、更に、溝1309、1310の外側にスラブ領域1311、1312が形成されている。ここで、入力導波路1301〜1304及び出力導波路1306の幅は２μｍ、多モード干渉領域1305の幅及び長さは、それぞれ１６μｍ及び１３４μｍに設定した。動作原理は、図２に示した従来のものと同様である。図１３に示したＭＭＩ型光合流・分岐回路の導波路のＣ−Ｃ’断面での断面構造は、導波路本数が4本になっていることを除けば、図６に示したものと同様である。
【００４９】
本参考例では、図５に示した実施例１と同様に、導波路の両側壁に沿って、コアよりも深くエッチングした溝を形成し、導波路の横方向の光閉じ込めは、導波路のコア及びクラッドを構成する媒質と空気の屈折率差により行っている。導波路側壁に形成した溝幅も、図５に示した実施例１と同様に、１５〜２５μｍ程度の範囲内でほぼ一定になるように考慮し、溝幅Ｗ0、Ｗ1及びＷ2は、それぞれ１７μｍ、１５μｍ及び２２μｍに設定した。その結果、実施例１と同様の原理により、パターン変換誤差を最小限に抑えることができ、設計とのずれにより生じる反射の発生を最小限に抑えることが可能となった。
【００５０】
本参考例の場合も、溝領域の幅がほぼ一定に保たれるため、光集積回路のように導波路が複雑に入り込んだ場合でも、導波路部と溝領域の面積の比が大きく変化することはない。従って、場所によりパターン変換誤差が変化することもない。そして、場所により導波路幅が変化してしまうといった従来例の問題点が解決され、設計どおりのレジストマスクを形成することが可能となり、その結果、前記レジストマスクを用いてエッチングした導波路幅も設計どおりに作製することができ、反射の少ない高性能な集積素子を作製することが可能となった。
【００５１】
更に、本参考例では図２に示した従来例における多モード干渉領域の終端部207に、複数の導波モードの存在が可能な多モード導波路1307、1308を、少なくとも２本設け、更に、導波路の側壁に沿って形成された溝1309、1310を横切って、横方向の閉じこめが実質上存在しない、もしくは十分に横幅の広い、スラブ領域1311、1312に、多モード導波路を接続した構造であるため、従来例において多モード干渉領域の終端部207で反射されていた光が、多モード導波路1307、1308に導かれて、スラブ領域1311、1312に伝搬することが可能となり、入力導波路を逆行するような反射が発生しない。そのため、作製時にパターン変換誤差が生じたとしても、過剰損失が若干増加するだけで、反射のない光合流・分岐回路を提供することが可能となる。ここで、多モード導波路1307、1308の構造に関しては特に制約があるわけではない。複数の導波モードの存在を許容していれば、直線状であっても曲線状であってもかまわない。この多モード導波路は、導波路の側壁に沿って形成された溝1309、1310の幅の分だけ伝搬したところで、横方向の閉じこめが実質上存在しない、もしくは十分に横幅の広い、スラブ領域1311、1312に接続されているため、光を吸収するための何らかの構造等に接続されていなくても、十分に光の反射を抑制することが可能である。
【００５２】
本構成を用いることにより、図１１に示した実施例２及び図１２に示した参考例３の両方の特徴を有する結果となり、導波路作製時のパターン変換誤差がなく、反射の生じにくい作製プロセスを可能にするのみならず、パターン寸法誤差が生じた場合でも、反射のない高性能な光合流・分岐回路を提供することが可能となった。
【００５３】
なお、本参考例の図１３では、多モード干渉領域1305の右側の終端部のみに、複数の導波モードの存在が可能な多モード導波路1307、1308を設けたが、図１４に示すように、多モード干渉領域1405の入射側端部にも、複数の導波モードの存在が可能な多モード導波路1413、1414を設けてもよく、この場合も同等の効果を得ることができる。この場合、出力導波路に光増幅器等が接続されていて、自然放出光が出力導波路側から多モード干渉領域1405に入射するような場合にも、効果的に反射を抑制することが可能となる。ここで、図１４中に示した番号は、図１３中の番号に準ずる。すなわち、図中1401〜1404は入力導波路、1405は多モード干渉領域、1406は出力導波路、1407、1408、1413、1414は多モード導波路、1409、1410は導波路の側壁に沿って形成された溝、1411、1412はスラブ領域である。又、図１４に示した多モード導波路1407、1408、1413、1414のうちのいずれかを、図１２に示した多モード導波路1207、1208のように、入力導波路もしくは出力導波路に沿って配置した形状としても、同様の効果を得ることができる。
【実施例３】
【００５４】
図１５は、本発明に係る多モード干渉型光導波路の第３の実施例を示す図であり、実施例１〜２、参考例１〜４における多モード干渉領域と入力導波路、又は、多モード干渉領域と出力導波路との接続部分を示すものである。図中1501a〜1501dは入力導波路又は出力導波路、1502a〜1502dは多モード干渉領域、1503a〜1503dは多モード干渉領域の端部のうち、複数の入力導波路に挟まれた領域、又は、複数の出力導波路に挟まれた領域である。
【００５５】
本実施例は、多モード干渉領域の端部で生じる可能性のある反射のうち、特に、複数の入力導波路に挟まれた領域、又は、複数の出力導波路に挟まれた領域で生じる反射を防止するものである。図１５（ａ）は従来例における構造であり、複数の入力導波路に挟まれた領域、複数の出力導波路に挟まれた領域1503a及び最外の入力導波路又は最外の出力導波路より外側の領域1504aの部分は、光の進行方向に対して垂直となっている。この場合、作製時の寸法誤差等により反射が生じた場合、反射光は進行方向を１８０度反転して多モード干渉領域1502aを逆行するため、多モード干渉領域の反対側の端部に向かって、光が伝搬してしまう。
【００５６】
これに対し、図１５（b）に示すように、領域1503bを光の進行（伝搬）方向に対し斜めに傾けることにより、反射光の伝搬方向は１８０度からずれてしまい、反射光は多モード干渉領域1502bを斜めに伝搬することになる。このため、多モード干渉領域1502bの反対側の端部に存在する入力導波路又は出力導波路に結合する際、斜め入射となり結合効率が減少する。これは、見かけ上、反射率が減ったことに相当する。このように、反射が生じる可能性のある部分を、光の進行方向に対して垂直でない形状とすることにより、入力導波路又は出力導波路に戻ってゆく光を減らすことができ、反射を抑制したことと同等な効果が得られる。なお、光の進行方向に対して垂直でない形状としては、図１５（ｂ）に示したような斜めの直線形状のみならず、図１５（ｃ）に示したような直線からなるＶ字型、あるいは多角形、図１５（ｄ）のような曲線でも同等な効果が期待できる。更に、入力導波路間又は出力導波路間の領域1503b、1503c、1503dだけでなく、最外の入力導波路又は最外の出力導波路より外側の領域1504b、1504c、1504dの部分も、同様な形状としてもよい。つまり、入力導波路及び出力導波路の接続部以外の多モード干渉領域の端部の一部でも、光の伝搬方向に対して傾けた平面又は曲面となる形状にすれば、その部分での反射光は、多モード干渉領域を斜めに伝搬することになり、その入射の結合効率が減少されて、反射を抑制したことと同等な効果を得ることができる。
【００５７】
上記実施例１乃至実施例３、参考例１乃至参考例４においては、導波路構造として、図１６（ａ）に示すように、光導波領域の両側の側壁をコア層よりも深くエッチングした、所謂、ハイメサ構造の導波路を用いているが、光導波領域の両側のクラッド厚が光導波領域のクラッド厚よりも薄いような導波構造であれば同様な効果が期待できる。
【００５８】
図１６は、本発明で用いることができる導波路の断面構造を示した図である。
図１６中、1601a〜1601dは下部クラッドであるInP基板、1602a〜1602dはInGaAsPコア層、1603a〜1603dは上部InPクラッド、1604a〜1604dは光の電界を示している。図１６（ｂ）に示した構造は、光導波領域の両側のクラッドを薄くした、いわゆるリッジ型導波路、図１６（ｃ）に示した構造は、光導波領域の両側のクラッドをゼロにした、リッジ型導波路の変形、図１６（ｄ）に示した構造は、光導波領域の両側のコア層まで削り込んだ、リッジ型導波路の変形である。これらの全ての構造においては、図中に一点鎖線で示したように、光の電界の一部が、光導波領域の両側の導波路を構成する媒質と空気の界面の位置よりも上方に存在するため、空気の影響を受けることになる。従って、本発明は、従来例で説明したとおり、多モード干渉領域の終端部において、導波路を構成する媒質・空気界面の反射を抑制する構造であるため、光の電界が空気の屈折率の影響を受けるような全ての構造において、効果が期待できる。
【産業上の利用可能性】
【００５９】
本発明は、コア層、上下クラッド層の組成について、特に制約を設けるものではなく、例えば、半導体では、InGaAsP、GaAs、AlGaAs、InGaAs、GaInNAs、Si等の任意の材質を適用可能であり、半導体以外でも、石英ガラス等のアモルファス材料、有機材料等を適用可能である。つまり、通常用いられる全ての導波路構造のコア層、クラッド層において、上記材料を用いても、導波路のコア層、クラッド層の構成を、上記実施例、参考例に示した構成とすることにより、上記効果が期待できる。
【００６０】
又、コア層、クラッド層の構造に関してもバルク、ＭＱＷ、量子細線、量子ドットを問わず、同様な効果が期待できる。コア層とクラッド層の間に、例えば、通常のレーザで用いられているような分離閉じ込め構造（ＳＣＨ構造）が形成されていても、全く同様な効果が期待できる。又、上記実施例、参考例では２×２及び４×１の光合流・分岐回路について説明してきたが、入力導波路及び出力導波路の本数はこれに制約されるものではなく、任意の入力導波路本数、出力導波路本数について、同様な効果が期待できる。
【符号の説明】
【００６１】
101,102：入力導波路  103：多モード干渉領域  104,105：出力導波路  106：多モード領域終端
201〜204：入力導波路  205：多モード干渉領域  206：出力導波路  207：多モード領域終端
301：下部クラッドを構成するInP基板  302,303：InGaAsPコア層  304,305：InP上部クラッド
401：下部クラッドを構成するInP基板  402：InGaAsPコア層  403：InP上部クラッド  404：半導体・空気界面
501,502：入力導波路  503：多モード干渉領域  504,505：出力導波路  506,507：溝
601：下部クラッドを構成するInP基板  602〜605：InGaAsPコア層  606〜609：InP上部クラッド  612：溝
701,702：入力導波路  703：多モード干渉領域  704,705：出力導波路  706,707：多モード導波路
801,802：入力導波路  803：多モード干渉領域  804,805：出力導波路  806,807：多モード導波路  808,809：溝  810,811：スラブ領域
901,902：入力導波路  903：多モード干渉領域  904,905：出力導波路  906,907：多モード導波路  908,909：溝  910,911：スラブ領域
1001,1002：入力導波路  1003：多モード干渉領域  1004,1005：出力導波路  1006,1007,1010,1011,1008,1009：溝  1012,1013：スラブ領域
1101〜1104：入力導波路  1105：多モード干渉領域  1106：出力導波路  1107,1108：溝
1201〜1204：入力導波路  1205：多モード干渉領域  1206：出力導波路  1207,1208：多モード導波路
1301〜1304：入力導波路  1305：多モード干渉領域  1306：出力導波路  1307,1308：多モード導波路  1309,1310：溝  1311,1312：スラブ領域
1401〜1404：入力導波路  1405：多モード干渉領域  1406：出力導波路  1407,1408,1413,1414：多モード導波路  1409,1410：溝  1411,1412：スラブ領域
1501a〜1501d：入力導波路もしくは出力導波路  1502a〜1502d：多モード干渉領域  1503a〜1503d：入力導波路もしくは出力導波路で挟まれた領域
1601a〜1601d：下部クラッドを構成するInP基板  1602a〜1602d：InGaAsPコア層  1603a〜1603d：InP上部クラッド  1604a〜1604d：光の電界
【図１】
2010079317.tif 000003
【図２】
2010079317.tif 000004
【図３】
2010079317.tif 000005
【図４】
2010079317.tif 000006
【図５】
2010079317.tif 000007
【図６】
2010079317.tif 000008
【図７】
2010079317.tif 000009
【図８】
2010079317.tif 000010
【図９】
2010079317.tif 000011
【図１０】
2010079317.tif 000012
【図１１】
2010079317.tif 000013
【図１２】
2010079317.tif 000014
【図１３】
2010079317.tif 000015
【図１４】
2010079317.tif 000016
【図１５】
2010079317.tif 000017
【図１６】
2010079317.tif 000018